(57)【要約】【課題】  複数のデータ処理装置間の特性情報を共有して、最適のデータ処理装置または最適のデータ処理装置の組合わせにより入力データを最適に処理できるデータ処理方法を提供する。【解決手段】  複数のデータ処理装置のうち、少なくとも一つ以上のデータ処理装置の特性情報を入力され、入力された特性情報に基づいて入力データのデータ処理条件を決定した後、決定されたデータ処理条件を特性情報を伝送したデータ処理装置に伝送して、入力データが同じ機能を有するデータ処理装置により二重で処理されることを防止すると共に、最適の条件下でデータ処理を行える。【選択図】      図２
2006217571.tif 000002
【特許請求の範囲】
【請求項１】
複数のデータ処理装置を利用したデータ処理方法において、
前記複数のデータ処理装置のうち、少なくとも一つ以上のデータ処理装置の特性情報を入力されるステップと、
前記入力された特性情報に基づいて、入力データのデータ処理条件を決定するステップと、
前記決定されたデータ処理条件を、前記特性情報を伝送したデータ処理装置に伝送するステップと、を含むことを特徴とする方法。
【請求項２】
前記入力データは、映像データであり、前記データ処理装置は、前記入力された映像データの画質を改善するための処理を行う画質改善部であることを特徴とする請求項１に記載の方法。
【請求項３】
前記入力データは、音響データであり、前記データ処理装置は、前記入力された音響データの音質を改善するための処理を行う音響処理部であることを特徴とする請求項１に記載の方法。
【請求項４】
前記複数のデータ処理装置は、ニ方向性インターフェースを介して特性情報及びデータ処理条件情報を送受信することを特徴とする請求項１に記載の方法。
【請求項５】
前記データ処理装置の特性情報は、データ処理装置のメーカー、製造年度、製造バージョンのうち、少なくとも一つ以上を含むことを特徴とする請求項１に記載の方法。
【請求項６】
前記データ処理装置の特性情報は、コントラスト改善、細部改善、輝度改善、カラー改善、ノイズ除去、スケール変換、フォーマット変換に関連した情報のうち、少なくとも一つ以上を含むことを特徴とする請求項１に記載の方法。
【請求項７】
前記データ処理装置の特性情報は、データ処理に使用されるアルゴリズムについての情報、または使用されるアルゴリズムで設定されるパラメータについての情報のうち、少なくとも一つ以上を含むことを特徴とする請求項１に記載の方法。
【請求項８】
前記データ処理条件を決定するステップは、前記入力された特性情報に基づいて、前記入力データに対してデータを実行する一つのデータ処理装置を決定するステップをさらに含み、前記決定されたデータ処理条件は、前記入力されたデータに対してデータを実行するデータ処理装置を特定する情報を含むことを特徴とする請求項１に記載の方法。
【請求項９】
前記データ処理条件を決定するステップは、前記入力された特性情報に基づいて、前記入力データに対してデータを実行する少なくとも一つのデータ処理装置を決定するステップをさらに含み、前記決定されたデータ処理条件は、前記入力されたデータに対してデータを実行する少なくとも一つのデータ処理装置を特定する情報、及びそれぞれのデータ処理装置が行うデータ処理機能を特定する情報を含むことを特徴とする請求項１に記載の方法。
【請求項１０】
前記データ処理装置の特性情報は、前記データ処理装置の製造年度または製造バージョンのうち、少なくとも一つ以上を含み、前記データ処理条件を決定するステップは、複数のデータ処理装置のうち、最も最近のデータ処理装置を入力データのデータ処理を行う装置として選択し、残りのデータ処理装置によるデータ処理はスキップするように決定するステップをさらに含むことを特徴とする請求項１に記載の方法。
【請求項１１】
前記データ処理装置の特性情報は、前記データ処理装置の製造年度または製造バージョンのうち、少なくとも一つ以上を含み、前記データ処理条件を決定するステップは、複数のデータ処理装置のうち、最も最近のデータ処理装置を入力データのデータ処理を行う装置として選択し、残りのデータ処理装置によるデータ処理は、設定された基本値で行うように決定するステップをさらに含むことを特徴とする請求項１に記載の方法。
【請求項１２】
複数のデータ処理装置と関連して入力データを処理するための装置において、
前記複数のデータ処理装置のうち、少なくとも一つ以上のデータ処理装置の特性情報を入力される入力部と、
前記入力された特性情報に基づいて、入力データのデータ処理条件を決定する決定部と、
前記決定されたデータ処理条件を前記特性情報を伝送したデータ処理装置に伝送する伝送部と、を備えることを特徴とする装置。
【請求項１３】
前記入力データは、映像データであり、前記データ処理装置は、前記入力された映像データの画質を改善するための処理を行う画質改善部であることを特徴とする請求項１２に記載の装置。
【請求項１４】
前記入力データは、音響データであり、前記データ処理装置は、前記入力された音響データの音質を改善するための処理を行う音響処理部であることを特徴とする請求項１２に記載の装置。
【請求項１５】
前記データ処理装置の特性情報は、データ処理装置のメーカー、製造年度、製造バージョンのうち、少なくとも一つ以上を含むことを特徴とする請求項１２に記載の装置。
【請求項１６】
前記データ処理装置の特性情報は、コントラスト改善、細部改善、輝度改善、カラー改善、ノイズ除去、スケール変換、フォーマット変換に関連した情報のうち、少なくとも一つ以上を含むことを特徴とする請求項１２に記載の装置。
【請求項１７】
前記データ処理装置の特性情報は、データ処理に使用されるアルゴリズムについての情報または使用されるアルゴリズムで設定されるパラメータについての情報のうち、少なくとも一つ以上を含むことを特徴とする請求項１２に記載の装置。
【請求項１８】
前記決定部は、前記入力された特性情報に基づいて、前記入力データに対してデータを実行する一つのデータ処理装置を決定し、前記決定されたデータ処理条件は、前記入力されたデータに対してデータを実行するデータ処理装置を特定する情報を含むことを特徴とする請求項１２に記載の装置。
【請求項１９】
前記決定部は、前記入力された特性情報に基づいて、前記入力データに対してデータを実行する少なくとも一つのデータ処理装置を決定し、前記決定されたデータ処理条件は、前記入力されたデータに対してデータを実行する少なくとも一つのデータ処理装置を特定する情報、またはそれぞれのデータ処理装置が行うデータ処理機能を特定する情報を含むことを特徴とする請求項１２に記載の装置。
【請求項２０】
前記データ処理装置の特性情報は、前記データ処理装置の製造年度または製造バージョンのうち、少なくとも一つ以上を含み、前記決定部は、複数のデータ処理装置のうち、最も最近のデータ処理装置を入力データのデータ処理を行う装置として選択し、残りのデータ処理装置によるデータ処理はスキップするように決定することを特徴とする請求項１２に記載の装置。
【請求項２１】
前記データ処理装置の特性情報は、前記データ処理装置の製造年度または製造バージョンのうち、少なくとも一つ以上を含み、前記決定部は、複数のデータ処理装置のうち、最も最近のデータ処理装置を入力データのデータ処理を行う装置として選択し、残りのデータ処理装置によるデータ処理は、設定された基本値で行うように決定することを特徴とする請求項１２に記載の装置。
【請求項２２】
複数のデータ処理装置を利用したデータ処理方法において、
現在データ処理装置の特性情報を前記複数のデータ処理装置のうち、一つのマスタ装置に伝送するステップと、
前記複数のデータ処理装置のうち、少なくとも一つ以上のデータ処理装置の特性情報に基づいて決定されたデータ処理条件情報を前記マスタ装置から入力されるステップと、
前記入力されたデータ処理条件情報に基づいて入力データを処理するステップと、を含むことを特徴とする方法。
【請求項２３】
前記入力データは、映像データであり、前記データ処理装置は、入力された映像データの画質を改善するための処理を行う画質改善部であることを特徴とする請求項２２に記載の方法。
【請求項２４】
前記入力データは、音響データであり、前記データ処理装置は、入力された音響データの音質を改善するための処理を行う音質処理部であることを特徴とする請求項２２に記載の方法。
【請求項２５】
前記複数のデータ処理装置は、ニ方向性インターフェースを介して特性情報及びデータ処理条件情報を送受信することを特徴とする請求項２２に記載の方法。
【請求項２６】
前記データ処理装置の特性情報は、データ処理装置のメーカー、製造年度、製造バージョンのうち、少なくとも一つ以上を含むことを特徴とする請求項２２に記載の方法。
【請求項２７】
前記データ処理装置の特性情報は、コントラスト改善、細部改善、輝度改善、カラー改善、ノイズ除去、スケール変換、フォーマット変換に関連した情報のうち、少なくとも一つ以上を含むことを特徴とする請求項２２に記載の方法。
【請求項２８】
前記データ処理装置の特性情報は、データ処理に使用されるアルゴリズムについての情報、または使用されるアルゴリズムで設定されるパラメータについての情報のうち、少なくとも一つ以上を含むことを特徴とする請求項２２に記載の方法。
【請求項２９】
前記データ処理条件情報は、現在データ処理装置が前記入力されたデータに対してデータを実行するデータ処理装置であるか否かを特定する情報を含むことを特徴とする請求項２２に記載の方法。
【請求項３０】
前記データ処理条件情報は、現在データ処理装置が前記入力されたデータに対してデータを実行するデータ処理装置であるか否かを特定する情報、または現在データ処理装置が入力データに対して行うデータ処理機能を特定する情報を含むことを特徴とする請求項２２に記載の方法。
【請求項３１】
前記データ処理装置の特性情報は、前記データ処理装置の製造年度または製造バージョンのうち、少なくとも一つ以上を含み、前記データ処理条件情報は、現在データ処理装置が複数のデータ処理装置のうち、最も最近のデータ処理装置であるか否かを特定する情報をさらに含むことを特徴とする請求項２２に記載の方法。
【請求項３２】
前記データ処理装置の特性情報は、前記データ処理装置の製造年度または製造バージョンのうち、少なくとも一つ以上を含み、前記データ処理条件情報は、現在処理装置が複数のデータ処理装置のうち、最も最近のデータ処理装置であるか否かを特定する情報、または現在データ処理装置が行うデータ処理機能を特定する情報を含むことを特徴とする請求項２２に記載の方法。
【請求項３３】
複数のデータ処理装置と関連して入力データを処理するための装置において、
現在データ処理装置の特性情報を、前記複数のデータ処理装置のうち、一つのマスタ装置に伝送する伝送部と、
前記複数のデータ処理装置のうち、少なくとも一つ以上のデータ処理装置の特性情報に基づいて決定されたデータ処理条件情報を前記マスタ装置から入力される入力部と、
前記入力されたデータ処理条件情報に基づいて入力データを処理するデータ処理部と、を含むことを特徴とする装置。
【請求項３４】
前記入力データは、映像データであり、前記データ処理部は、前記入力された映像データの画質を改善するための処理を行う画質改善部であることを特徴とする請求項３３に記載の装置。
【請求項３５】
前記入力データは、音響データであり、前記データ処理部は、前記入力された音響データの音質を改善するための処理を行う音響処理部であることを特徴とする請求項３３に記載の装置。
【請求項３６】
前記データ処理装置の特性情報は、データ処理装置のメーカー、製造年度、製造バージョンのうち、少なくとも一つ以上を含むことを特徴とする請求項３３に記載の装置。
【請求項３７】
前記データ処理装置の特性情報は、コントラスト改善、細部改善、輝度改善、カラー改善、ノイズ除去、スケール変換、フォーマット変換に関連した情報のうち、少なくとも一つ以上を含むことを特徴とする請求項３３に記載の装置。
【請求項３８】
前記データ処理装置の特性情報は、データ処理に使用されるアルゴリズムについての情報、または使用されるアルゴリズムで設定されるパラメータについての情報のうち、少なくとも一つ以上を含むことを特徴とする請求項３３に記載の装置。
【請求項３９】
前記決定部は、前記入力された特性情報に基づいて、前記入力データに対してデータを実行する一つのデータ処理装置を決定し、前記決定されたデータ処理条件は、前記入力されたデータに対してデータを実行するデータ処理装置を特定する情報を含むことを特徴とする請求項３３に記載の装置。
【請求項４０】
前記決定部は、前記入力された特性情報に基づいて、前記入力データに対してデータを実行する少なくとも一つのデータ処理装置を決定し、前記決定されたデータ処理条件は、前記入力されたデータに対してデータを実行する少なくとも一つのデータ処理装置を特定する情報、及びそれぞれのデータ処理装置が行うデータ処理機能を特定する情報を含むことを特徴とする請求項３３に記載の装置。
【請求項４１】
前記データ処理装置の特性情報は、前記データ処理装置の製造年度または製造バージョンのうち、少なくとも一つ以上を含み、前記決定部は、複数のデータ処理装置のうち、最も最近のデータ処理装置を入力データのデータ処理を行う装置として選択し、残りのデータ処理装置によるデータ処理はスキップするように決定することを特徴とする請求項３３に記載の装置。
【請求項４２】
前記データ処理装置の特性情報は、前記データ処理装置の製造年度または製造バージョンのうち、少なくとも一つ以上を含み、前記決定部は複数のデータ処理装置のうち、最も最近のデータ処理装置を入力データのデータ処理を行う装置として選択し、残りのデータ処理装置によるデータ処理は、設定された基本値で行うように決定することを特徴とする請求項３３に記載の装置。
【請求項４３】
複数のデータ処理装置のうち、少なくとも一つ以上のデータ処理装置の特性情報を入力されるステップと、
前記入力された特性情報に基づいて入力データのデータ処理条件を決定するステップと、
前記決定されたデータ処理条件を、前記特性情報を伝送したデータ処理装置に伝送するステップと、を含む複数のデータ処理装置を利用したデータ処理方法を行うためのプログラムが記録されたコンピュータで読み取り可能な記録媒体。
【請求項４４】
前記入力データは、映像データであり、前記データ処理装置は、前記入力された映像データの画質を改善するための処理を行う画質改善部であることを特徴とする請求項４３に記載の記録媒体。
【請求項４５】
前記入力データは、音響データであり、前記データ処理装置は、前記入力された音響データの音質を改善するための処理を行う音響処理部であることを特徴とする請求項４３に記載の記録媒体。
【請求項４６】
前記データ処理装置の特性情報は、データ処理装置のメーカー、製造年度、製造バージョンのうち、少なくとも一つ以上を含むことを特徴とする請求項４３に記載の記録媒体。
【請求項４７】
前記データ処理装置の特性情報は、コントラスト改善、細部改善、輝度改善、カラー改善、ノイズ除去、スケール変換、フォーマット変換に関連した情報のうち、少なくとも一つ以上を含むことを特徴とする請求項４３に記載の記録媒体。
【請求項４８】
前記データ処理装置の特性情報は、前記データ処理装置の製造年度または製造バージョンのうち、少なくとも一つ以上を含み、前記データ処理条件を決定するステップは、複数のデータ処理装置のうち、最も最近のデータ処理装置を入力データのデータ処理を行う装置として選択し、残りのデータ処理装置によるデータ処理は、設定された基本値で行うように決定するステップをさらに含むことを特徴とする請求項４３に記載の記録媒体。
【請求項４９】
現在データ処理装置の特性情報を、複数のデータ処理装置のうち、一つのマスタ装置に伝送するステップと、
前記複数のデータ処理装置のうち、少なくとも一つ以上のデータ処理装置の特性情報に基づいて決定されたデータ処理条件情報を前記マスタ装置から入力されるステップと、
前記入力されたデータ処理条件情報に基づいて入力データを処理するステップと、を含む複数のデータ処理装置を利用したデータ処理記録方法を行うためのプログラムが記録されたコンピュータで読み取り可能な記録媒体。
【請求項５０】
前記入力データは、映像データであり、前記データ処理装置は、入力された映像データの画質を改善するための処理を行う画質改善部であることを特徴とする請求項４９に記載の記録媒体。
【請求項５１】
前記入力データは、音響データであり、前記データ処理装置は、入力された音響データの音質を改善するための処理を行う音質処理部であることを特徴とする請求項４９に記載の記録媒体。
【請求項５２】
前記データ処理装置の特性情報は、データ処理装置のメーカー、製造年度、製造バージョンのうち、少なくとも一つ以上を含むことを特徴とする請求項４９に記載の記録媒体。
【請求項５３】
前記データ処理装置の特性情報は、コントラスト改善、細部改善、輝度改善、カラー改善、ノイズ除去、スケール変換、フォーマット変換に関連した情報のうち、少なくとも一つ以上を含むことを特徴とする請求項４９に記載の記録媒体。
【請求項５４】
前記データ処理装置の特性情報は、前記データ処理装置の製造年度または製造バージョンのうち、少なくとも一つ以上を含み、前記データ処理条件情報は、現在データ処理装置が複数のデータ処理装置のうち、最も最近のデータ処理装置であるか否かを特定する情報をさらに含むことを特徴とする請求項４９に記載の記録媒体。
【請求項５５】
前記データ処理装置の特性情報は、前記データ処理装置の製造年度または製造バージョンのうち、少なくとも一つ以上を含み、前記データ処理条件情報は、現在処理装置が複数のデータ処理装置のうち、最も最近のデータ処理装置であるか否かを特定する情報、または現在データ処理装置が行うデータ処理機能を特定する情報を含むことを特徴とする請求項４９に記載の記録媒体。
【発明の詳細な説明】
【技術分野】
【０００１】
本発明は、複数のデータ処理装置を利用したデータ処理方法に係り、入力データのデータ処理に関連したデータ処理装置間の情報を共有して、最適のデータ処理環境下で入力データの処理を行うデータ処理方法及びその装置に関する。
【背景技術】
【０００２】
図１は、従来の映像機器間の画質改善処理方法を示す図である。図１に示すように、ホスト装置１１０、例えば、ＤＶＤＰ（ＤＶＤプレーヤ）は、画質改善部１１２、制御部１１４及び映像生成部１１６を備え、ディスプレイ装置１２０は、画質改善部１２２、制御部１２４及び映像出力部１２６を備える。また、ホスト装置１１０及びディスプレイ装置１２０は、映像インターフェース部３００に連結されている。
【０００３】
ホスト装置１１０の映像生成部１１６で生成された映像信号は、制御部１１４により制御される画質改善部１１２により画質改善処理が行われた後に出力される。ホスト装置１１０から出力された映像信号は、映像インターフェース３００を経てディスプレイ装置１２０に入力される。ディスプレイ装置１２０に入力された映像信号は、制御部１２４により制御される画質改善部１２２で画質改善処理が行われた後、映像出力部１２６に出力される。
【０００４】
このように、従来には、映像装置間で入出力される映像信号の画質改善処理についての情報が、各映像装置間に相互共有されなかったため、ホスト装置の画質改善部１１２で画質改善処理が行われた映像信号が、ディスプレイ装置１２０の画質改善部１２２でさらに画質改善処理が行われて、画質改善処理過程が重なるか、または所望の最適の画質改善が効果的に行われないという問題点があった。
【０００５】
例えば、入力データに含まれたノイズを除去するために、画質改善部１１２で低域フィルタリングを行った後、画質改善部１２２で再び低域フィルタリングが行われた場合、入力データに含まれたノイズの除去以外に、処理しようとする入力データを歪曲する結果をもたらすという問題点があった。
【０００６】
特許文献１は、本願の従来技術に該当する映像処理装置を開示している。
【特許文献１】米国特許第６４３７８３０号明細書
【特許文献２】韓國特許公開２００１−０８７０１８号公報
【発明の開示】
【発明が解決しようとする課題】
【０００７】
したがって、本発明が達成しようとする技術的課題は、入力データを処理する一連のデータ処理装置のそれぞれの特性情報が、各データ処理装置間に相互共有できるようにして、より効果的な最適のデータ処理が行えるデータ処理方法を提供するところにある。
【課題を解決するための手段】
【０００８】
前記技術的課題は、本発明に係る、複数のデータ処理装置を利用したデータ処理方法において、前記複数のデータ処理装置のうち、少なくとも一つ以上のデータ処理装置の特性情報を入力されるステップと、前記入力された特性情報に基づいて、入力データのデータ処理条件を決定するステップと、前記決定されたデータ処理条件を、前記特性情報を伝送したデータ処理装置に伝送するステップと、を含むことを特徴とする方法によって達成される。
【０００９】
前記入力データは、映像データであり、前記データ処理装置は、前記入力された映像データの画質を改善するための処理を行う画質改善部であることを特徴とする請求項１に記載の方法。
【００１０】
前記入力データは、音響データであり、前記データ処理装置は、前記入力された音響データの音質を改善するための処理を行う音響処理部であることが好ましい。
【００１１】
前記複数のデータ処理装置は、ニ方向性インターフェースを介して特性情報及びデータ処理条件情報を送受信することが好ましい。
【００１２】
前記データ処理装置の特性情報は、データ処理装置のメーカー、製造年度、製造バージョンのうち、少なくとも一つ以上を含むことが好ましい。
【００１３】
前記データ処理装置の特性情報は、コントラスト改善、細部改善、輝度改善、カラー改善、ノイズ除去、スケール変換、フォーマット変換に関連した情報のうち、少なくとも一つ以上を含むことが好ましい。
【００１４】
前記データ処理装置の特性情報は、データ処理に使用されるアルゴリズムについての情報、または使用されるアルゴリズムで設定されるパラメータについての情報のうち、少なくとも一つ以上を含むことが好ましい。
【００１５】
前記データ処理条件を決定するステップは、前記入力された特性情報に基づいて、前記入力データに対してデータを実行する一つのデータ処理装置を決定するステップをさらに含み、前記決定されたデータ処理条件は、前記入力されたデータに対してデータを実行するデータ処理装置を特定する情報を含むことが好ましい。
【００１６】
前記データ処理条件を決定するステップは、前記入力された特性情報に基づいて、前記入力データに対してデータを実行する少なくとも一つのデータ処理装置を決定するステップをさらに含み、前記決定されたデータ処理条件は、前記入力されたデータに対してデータを実行する少なくとも一つのデータ処理装置を特定する情報、及びそれぞれのデータ処理装置が行うデータ処理機能を特定する情報を含むことが好ましい。
【００１７】
前記データ処理装置の特性情報は、前記データ処理装置の製造年度または製造バージョンのうち、少なくとも一つ以上を含み、前記データ処理条件を決定するステップは、複数のデータ処理装置のうち、最も最近のデータ処理装置を入力データのデータ処理を行う装置として選択し、残りのデータ処理装置によるデータ処理はスキップするように決定するステップをさらに含むことが好ましい。
【００１８】
前記データ処理装置の特性情報は、前記データ処理装置の製造年度または製造バージョンのうち、少なくとも一つ以上を含み、前記データ処理条件を決定するステップは、複数のデータ処理装置のうち、最も最近のデータ処理装置を入力データのデータ処理を行う装置として選択し、残りのデータ処理装置によるデータ処理は、設定された基本値で行うように決定するステップをさらに含むことが好ましい。
【００１９】
また、前記技術的課題は、本発明に係る複数のデータ処理装置と関連して入力データを処理するための装置において、前記複数のデータ処理装置のうち、少なくとも一つ以上のデータ処理装置の特性情報を入力される入力部と、前記入力された特性情報に基づいて、入力データのデータ処理条件を決定する決定部と、前記決定されたデータ処理条件を前記特性情報を伝送したデータ処理装置に伝送する伝送部と、を備えることを特徴とする装置によっても達成される。
【００２０】
また、前記技術的課題は、本発明に係る複数のデータ処理装置を利用したデータ処理方法において、現在データ処理装置の特性情報を前記複数のデータ処理装置のうち、一つのマスタ装置に伝送するステップと、前記複数のデータ処理装置のうち、少なくとも一つ以上のデータ処理装置の特性情報に基づいて決定されたデータ処理条件情報を前記マスタ装置から入力されるステップと、前記入力されたデータ処理条件情報に基づいて入力データを処理するステップと、を含むことを特徴とする方法によっても達成される。
【００２１】
また、前記技術的課題は、本発明に係る複数のデータ処理装置と関連して入力データを処理するための装置において、現在データ処理装置の特性情報を、前記複数のデータ処理装置のうち、一つのマスタ装置に伝送する伝送部と、前記複数のデータ処理装置のうち、少なくとも一つ以上のデータ処理装置の特性情報に基づいて決定されたデータ処理条件情報を前記マスタ装置から入力される入力部と、前記入力されたデータ処理条件情報に基づいて入力データを処理するデータ処理部と、を含むことを特徴とする装置によっても達成される。
【００２２】
また、前記技術的課題は、本発明に係る複数のデータ処理装置のうち、少なくとも一つ以上のデータ処理装置の特性情報を入力されるステップと、前記入力された特性情報に基づいて入力データのデータ処理条件を決定するステップと、前記決定されたデータ処理条件を、前記特性情報を伝送したデータ処理装置に伝送するステップと、を含む複数のデータ処理装置を利用したデータ処理方法を行うためのプログラムが記録されたコンピュータで読み取り可能な記録媒体によっても達成される。
【００２３】
また、前記技術的課題は、本発明に係る現在データ処理装置の特性情報を、複数のデータ処理装置のうち、一つのマスタ装置に伝送するステップと、前記複数のデータ処理装置のうち、少なくとも一つ以上のデータ処理装置の特性情報に基づいて決定されたデータ処理条件情報を前記マスタ装置から入力されるステップと、前記入力されたデータ処理条件情報に基づいて入力データを処理するステップと、を含む複数のデータ処理装置を利用したデータ処理記録方法を行うためのプログラムが記録されたコンピュータで読み取り可能な記録媒体によっても達成される。
【発明の効果】
【００２４】
本発明によれば、複数のデータ処理装置間の特性情報を共有して、最適のデータ処理装置または最適のデータ処理装置の組合わせにより入力データを処理可能にすることにより、最適のデータ処理を行うと共に、また、一連のデータ処理を行う映像機器が少なくとも２つ以上の画質改善部及び／または音響処理部を有する場合、画質改善処理過程が重なって行われることを防止でき、また、映像機器間の画質及び／または改善過程を組合わせて、最適の画質及び／または改善処理を行うことを可能にする。
【発明を実施するための最良の形態】
【００２５】
以下、添付された図面を参照して、本発明の好ましい実施形態について詳細に説明する。
【００２６】
図２は、本発明の一実施形態による複数のデータ処理装置間のデータ処理方法を説明するための図面である。
【００２７】
図２に示すように、Ｎ個のデータ処理装置２１０、２２０、２３０・・・２９０のそれぞれは、Ｎ個のデータ処理部２１２、２２２、２３２・・・２９２、Ｎ個の制御部２１４、２２４、２３４・・・２９４、Ｎ個のルックアップテーブル２１６、２２６、２３６・・・２９６と、それぞれのデータ処理装置間のデータ伝送のための両方向インターフェース手段２５０、２５２・・・を備える。
【００２８】
本発明に使用されるインターフェース手段は、物理的な連結手段、例えば、直列通信チャンネル等だけでなく、論理的な連結手段、例えば、データ自体に情報を隠すウォーターマークやビデオ信号の非活性領域などに情報を送る方法等も含む。
【００２９】
各データ処理装置に含まれたルックアップテーブルの一例は、図３に示されている。図３に示すルックアップテーブルは、各データ処理装置に含まれたデータ処理部の製品情報、例えば、製造年度、製造バージョン、製品名称などを含む。また、ルックアップテーブルは、該当データ処理部の画質改善項目、例えば、コントラスト制御、細部制御、輝度制御、カラー制御、ノイズ除去制御、スケール変換制御、フォーマット変換制御などについての情報を含む。また、前記画質改善項目についての信号処理に使用されるアルゴリズムについての情報と、該当アルゴリズムで設定されるパラメータについての情報とをさらに含む。図３に示すルックアップテーブルは、一実施形態であり、言及されていない他の画質改善項目を含んで、さらに多様な実施形態によるルックアップテーブルが使用されうる。
【００３０】
また、入力データが音声データまたは他のタイプのデータを含む場合には、ルックアップテーブルは、それらのデータの処理に使用されるアルゴリズム、例えば、音声データの場合、音質低下を防止するための優雅な劣化技術で設定されるパラメータについての情報をさらに含む。また、選択的に映像データと音声データとの間の同期化を合せるための情報をさらに含む。
【００３１】
図３に示すルックアップテーブルの各アドレスのデータはコード化されており、図２の装置１ないし装置Ｎの制御部２１４、２２４、２３４・・・２９４でデコーディングして認識できる。
【００３２】
図４Ａは、図３のルックアップテーブルに使用されるデータの構成の一実施形態を示す。本実施形態では、１６ビットから構成されており、第一ビットは、該当細部項目がマスタコマンドにより制御されているか否かを表す。例えば、第一ビットの値が‘０’である場合には、マスタコマンドがないため、設定値をそのまま維持することを表し、‘１’である場合には、該当細部項目の処理がマスタコマンドにより制御されることを表す。
【００３３】
第２ビットないし第５ビットは、細部項目インデックスを表す。例えば、第２ビットないし第５ビット値が‘００００’である場合には、該当項目が製品情報に関するものであることを表し、‘０００１’である場合には、コントラスト改善、‘００１０’である場合には、細部改善、‘００１１’である場合には、輝度改善、‘０１０１’である場合には、カラー改善、‘０１１０’である場合には、ノイズ除去、‘０１１１’である場合には、スケール変換、‘１０００’である場合には、フォーマット変換を表す。
【００３４】
第６ビットないし第１６ビットは、該当項目の制御情報を表す。例えば、第１ビットが‘０’であり、第２ビットないし第５ビットが‘０００１’である場合、第６ビットないし第１６ビットは。‘コントラスト調節のために選定された範囲、例えば、１〜１００内の強度のうち、現在設定された強度値を表す。
【００３５】
本実施形態では、製品情報項目が他のデータ処理のための細部項目と同じデータ構成を有するようになっているが、選択的にルックアップテーブルの一つのアドレス、例えば、第１アドレスに、前記構成とは別個の方式で製品情報を表すことも可能である。
【００３６】
図４Ｂは、図３のルックアップテーブルに使用されるデータ構成のさらに他の実施形態を示す。本実施形態では、１６ビットから構成されており、第１ビットないし第４ビットは、細部項目インデックスを表す。それらのビットの機能は、図４Ａの第２ビットないし第５ビットの機能と同じであるため、理解を容易にするために、その詳細な説明を省略する。また、第５ビットないし第１６ビットは、該当項目の制御情報を表し、それらのビットの機能は、図４Ａの第６ビットないし第１６ビットの機能と同じであるため、理解を容易にするために、その詳細な説明を省略する。
【００３７】
図５は、データ処理部の製造年度及び製造番号に基づいて作成されたモードテーブルを利用する実施形態を示す。
【００３８】
図２に示すＮ個のデータ処理装置２１０、２２０、２３０・・・２９０のそれぞれのＮ個の制御部２１４、２２４、２３４・・・２９４のうち、何れか一つの制御部は、マスタ制御部に設定され、残りの制御部は、スレーブ制御部に設定される。図５に示すように、マスタ制御部は、それぞれのデータ処理装置のルックアップテーブル２１６、２２６、２３６・・・２９６に保存された製品情報及びモードテーブルを参照して、最適のデータ処理部を選択する。
【００３９】
図５に示すように、第１装置であるＤＶＤのデータ処理部は、２００１年３月１日に製造され、第２装置であるセットトップボックスのデータ処理部は、２００３年３月１日に製造され、第ｎ装置であるＴＶセットのデータ処理部は、２００４年３月１日に製造され、第ｎ装置であるＴＶセットのデータ処理部が最も最新のデータ処理部であるため、第１装置であるＤＶＤプレーヤー及び第２装置であるセットトップボックスのデータ処理部のデータ処理は基本値に設定され、第ｎ装置であるＴＶセットのデータ処理部で主な処理が行われるように設定される。
【００４０】
すなわち、マスタ制御部は第１装置及び第２装置の制御部に該当データ処理部のデータ処理を基本値で行うマスタコマンドを伝送する。選択的に、マスタコマンドと共に、データ処理を制御するための細部項目別に設定値を含む制御情報を伝送する。一方、第ｎ装置である制御部には、該当データ処理部で主な処理を行うマスタコマンドを伝送し、このように選択的にデータ処理を制御するための細部項目別に設定値を含む制御情報を伝送する。
【００４１】
各装置の制御部は、マスタ制御部からのマスタコマンドに基づいてそれぞれのデータ処理部のデータ処理を制御する。
【００４２】
選択的に、複数のデータ処理部の一つが、最適のデータ処理部として選択される場合、選択されたデータ処理部のみで入力信号についてのデータ処理を行い、残りのデータ処理部では、データ処理をスキップするように設定することも可能である。
【００４３】
図５は、データ処理部の製造年度及び製造番号に基づいて作成されたモードテーブルを示しているが、選択的にデータ処理部の機能別及びデータ装置別に作成されたモードテーブルを使用することも可能である。例えば、ノイズ除去機能がＤＶＤ装置で行われることが好ましい場合、ノイズ除去のためのデータ処理は、ＤＶＤ装置のデータ処理部で行われるようにモードテーブルを作成することも可能である。
【００４４】
以下では、図２ないし図５を参照して本発明の一実施形態を説明する。
本発明に係る一実施形態では、図２に示す複数の装置のうち、第ｎ装置２９０がマスタ装置となり、第ｎ装置２９０の制御部２９４がマスタ制御部となり、残りの装置２１０、２２０、２３０の制御部は、スレーブ制御部として動作する。
【００４５】
マスタ制御部は、それぞれの装置２１０、２２０、２３０、・・・２９０のルックアップテーブル２１６、２２６、２３６、・・・２９６に含まれた細部項目情報及びマスタ装置の所定の領域に保存されたモードテーブル（図示せず）を参照して、入力データを処理するための最適のデータ処理部またはデータ処理部の組合わせを選択し、その情報を含むマスタコマンドを生成して、それぞれのスレーブ制御部に伝送する。本実施形態では、モードテーブルは、マスタ装置の所定の領域に保存されているが、マスタ装置以外のスレーブ装置内に保存されたモードテーブルを使用させることも可能である。
【００４６】
マスタコマンドを受信したスレーブ制御部は、受信されたマスタコマンドに基づいて該当データ処理部の動作を制御する。
【００４７】
例えば、データ処理部２２２が最適のデータ処理部として決定された場合、装置１  ２１０、装置３  ２３０及び装置ｎ  ２９０には、該当データ処理部２１２、２３２・・・２９２のデータ処理を基本値で行うマスタコマンドを伝送し、装置２  ２２０には、該当データ処理部２２２で入力データに対する主なデータ処理を行うマスタコマンドを伝送する。
【００４８】
選択的に、マスタ制御部２９４は、入力データに対するデータ処理がそれぞれの機能別に複数のデータ処理部で分業的に行われるように、例えばノイズ除去機能は、装置１  ２１０のデータ処理部２１２で、フォーマット変換機能は、装置２のデータ処理部２２２で、コントラスト改善機能は、装置ｎ  ２９０のデータ処理部２９２で行われるようにするマスタコマンドをそれぞれの装置に伝送することも可能である。
【００４９】
複数の装置のうち、どの装置がマスタ装置として機能するかは、ユーザーの選択により決定されうる。しかし、選択的に装置を設計したメーカが、所定の基準によってあらかじめ定めることも可能である。例えば、デフォルトモードで複数の装置のうち、データ処理の流れで、最後に位置する装置、例えば、ディスプレイ装置をマスタ装置に設定するか、またはＡＶ（オーディオ／ビデオ）受信装置をマスタ装置に設定できる。
【００５０】
一方、選択的に、複数の装置のうち、何れか一つがマスタ装置として動作し、残りの装置は、スレーブ装置として動作する場合、マスタ装置として選択された装置及びスレーブとして動作する装置は、何れも自身についての特性情報をメモリ上に有しているため、それを共有して最適のデータ処理を行うことも可能である。
【００５１】
例えば、メーカーが多様な装置をあらかじめテストして、最適の結果を持ってくるデータ処理組合わせを所定のメモリー領域に保存した後、保存された最適のデータ処理組合わせに基づいてデータ処理を行うことも可能である。
【００５２】
また、ネットワーク上の装置がそれぞれの装置のデータ処理の特性情報を共有して、最適の結果をもたらすことができるデータ処理装置またはデータ処理装置の組合わせを、所定の判断基準によって決定し、決定されたデータ処理装置またはデータ処理装置の組合わせに基づいてデータ処理を行わせることも可能である。
【００５３】
最適のデータ処理装置またはデータ処理装置の組合わせを決定するための基準としては、客観的な判断基準及び主観的な判断基準がある。
【００５４】
客観的判断基準の例としては、ＰＳＮＲ（Ｐｅａｋ  Ｓｉｇｎａｌ  ｔｏ  Ｎｏｉｓｅ  Ｒａｔｉｏ）がある。客観的な判断基準を使用する場合、複数の装置は、ＰＳＮＲを基準に最適のデータ処理装置またはデータ処理装置の組合わせを決定する。
【００５５】
表１は、客観的な判断基準を使用する場合の一例を示す。表１に示すように、マスタ装置は、所定の入力信号に対して複数のモードによってデータ処理を行って、それぞれのモード別にＰＳＮＲ値を計算する。
【００５６】
【表１】
2006217571.tif 000003
この場合、最適のモードは、ＰＳＮＲの最も高い値を有するモード１であり、それにより、ノイズ除去、フォーマット変換、コントラスト改善のような入力信号についてのデータ処理がそれぞれの装置、例えば、ノイズ除去機能は、ＤＶＤ装置で、コントラスト改善機能は、ＴＶセットで、フォーマット変換機能は、セットトップボックスで行われる。
【００５７】
一方、主観的な判断基準によって最適のデータ処理部またはデータ処理の組合わせが決定されうる。この場合には、あらかじめ決定された複数のモードによって所定の信号をデータ処理し、データ処理された結果に基づいてユーザーをして選択せしめることも可能である。
【００５８】
一方、マスタ装置と一部スレーブ装置のメーカーが異なり、マスタ装置がそのスレーブ装置についての情報を獲得できない場合には、マスタ装置は、情報を与えないスレーブ装置については何らの判断もできないため、スレーブ装置についての情報を与えない装置についてはデータ処理が行われないと判断し、情報が共有される装置間のみで前記最適のデータ処理部または最適のデータ処理の組合わせを決定し、決定された最適のデータ処理部または最適のデータ処理の組合わせによってデータを処理する。
【００５９】
マスタ装置及びスレーブ装置のうち、一部のスレーブ装置のメーカーが異なる場合にも、スレーブ装置が、マスタ装置が認識できる情報を送信できる場合には、マスタ装置が伝送された情報を認識できるあらゆるスレーブ装置を考慮して、前記最適のデータ処理部または最適のデータ処理の組合わせを決定し、決定された最適のデータ処理部または最適のデータ処理の組合わせによってデータを処理する。
【００６０】
図６は、本発明の一実施形態によるデータ処理方法がマスタ装置で行われる過程を説明するためのフローチャートである。以下では、図２ないし図５を参照して説明する。
【００６１】
ステップ６２０で、マスタ装置に事前に決定されたデータ処理装置２９０のマスタ制御部２９４は、残りのデータ処理装置、すなわち、スレーブ装置のうち、少なくとも一つ以上でそれぞれのデータ処理部の特性情報を入力される。ここで、マスタ制御部２４４が特性情報を入力されるデータ処理部は、同じメーカーにより設けられたデータ処理部であるか、またはデータ処理部の特性情報を認識できるデータ処理部である。
【００６２】
ステップ６４０では、マスタ制御部２９４は、入力された各データ処理部の特性情報に基づいて入力データのデータ処理条件を決定する。この時、データ処理条件は、特性情報及び図５に示すモードテーブルに基づいて決定されうる。例えば、モードテーブルがデータ処理部の製作年度または製作バージョンによって作成されたものであれば、データ処理部のうち、最も最新のデータ処理部が入力データを処理するように設定される。選択的に、データ処理部のそれぞれが所定のデータ処理機能を分業的に行うように決定されうる。
【００６３】
ステップ６６０では、マスタ制御部２９４は、ステップ６４０で決定されたデータ処理条件をマスタコマンドに生成して、それぞれのスレーブ装置に伝送する。
【００６４】
図７は、本発明の一実施形態によるデータ処理方法がスレーブ装置で行われる過程を説明するためのフローチャートである。以下では、図２ないし図５を参照して説明する。
【００６５】
ステップ７２０で、スレーブ装置に事前に決定されたデータ処理装置２１０のスレーブ制御部２１４は、自身のデータ処理部の特性情報を、両方向インターフェースを介して、マスタ装置に設定されたデータ処理装置２９０のマスタ制御部２９４に伝送する。
【００６６】
ステップ７４０では、マスタ制御部２９４から複数のデータ処理部の特性情報に基づいて決定された、入力データのデータ処理条件情報が含まれたマスタコマンドを入力される。
【００６７】
ステップ７６０では、ステップ７４０で入力されたデータ処理条件情報に基づいて、データ処理部２１２を使用して入力データを処理するか、またはスキップする。選択的に、入力されたデータ処理条件情報に基づいて、データ処理部２１２のパラメータを設定することも可能である。
【００６８】
図８は、本発明の一実施形態を説明するためのブロック図であって、入力信号がビデオデータであり、データ処理装置が画質改善部を含むＤＶＤＰ及びＴＶセットである場合を示している。
【００６９】
下記では、図８を参照してＤＶＤＰ及びＴＶセットの画質改善部のメーカーが同じであるか、またはそれらの画質改善部の特性についての情報を互いに共有できる場合の画質改善処理方法を説明する。
【００７０】
ＤＶＤＰ  ８１０は、映像生成部８１２、画質改善部８１４、制御部８１６、ルックアップテーブル８１８及びインターフェース部８２０を備える。また、ＴＶセット  ８４０は、映像出力部８４２、画質改善部８４４、制御部８４６、ルックアップテーブル８４８及びインターフェース部８５０を備える。本実施形態では、ユーザーの選択によりＴＶセット  ８４０の制御部８４６がマスタ制御部に設定される。
【００７１】
マスタ制御部に設定された制御部８４６は、インターフェース部８５０、及びインターフェース部８２０と両方向通信を提供するインターフェース８７０を利用して、ＤＶＤＰ  ８１０のルックアップテーブル８１８に保存された画質改善部８１４の特性、すなわち、メーカー、製造年度、製造バージョン、細部画質改善情報などについての情報と、ＴＶセット  ８４０のルックアップテーブル８４８に保存された画質改善部８４４の特性、すなわち、メーカー、製造年度、製造バージョン、細部画質改善情報などについての情報とに基づいて最適の画質改善条件を決定する。本実施形態で、インターフェース部８２０、８５０は、ＤＶＩ（デジタルビデオインタラクティブ）／ＨＤＭＩ（ハイデフィニションマルチメディアインターフェース）インターフェースを使用する。
【００７２】
一実施形態では、製造年度及び製造バージョンを考慮して、選択された一つの画質改善部のみが入力データについての画質改善処理を行う。例えば、ＴＶセット  ８４０の画質改善部８４４が、さらに最近に製造された場合、マスタ制御部８４６は、ＤＶＤＰ  ８１０の画質改善部８１４が画質改善処理を行わないようにするマスタコマンドを制御部８１６に伝送し、ＴＶセット  ８４０の画質改善部８４４は、正常な画質改善処理を行うように制御する。
【００７３】
以後、ＤＶＤＰ  ８１０の映像生成部８１０で生成された映像データは、制御部８１６の制御によって画質改善部８１４でのデータ処理はバイパスし、インターフェース部８２０を介して、インターフェース８６０を経てＴＶセット  ８４０に伝送される。ＴＶセット  ８４０に伝送されたデータは、制御部８４６の制御によって画質改善部８４４で画質改善処理が行われ、以後、映像出力部８４２に伝送される。
【００７４】
さらに他の実施形態では、入力映像データについてのデータ処理がそれぞれの機能別に画質改善部８１４及び画質改善部８４４で分業的に行われるように、例えば、ノイズ除去機能及びフォーマット変換機能は、ＤＶＤＰ  ８１０の画質改善部８１４で、コントラスト改善機能は、ＴＶセット  ８４０の画質改善部８４４で行われるようにすることも可能である。この場合、マスタ制御部８４６は、前記のように分業的な画質改善処理が行われるように、マスタコマンドをそれぞれの装置に伝送する。
【００７５】
この場合、ＤＶＤＰ  ８１０の映像生成部８１２で生成された映像データは、制御部８１６の制御によって画質改善部８１４ではノイズの除去及びフォーマットの変換処理のみが行われ、コントラスト改善処理はバイパスして、インターフェース部８２０を介して、インターフェース８６０を経てＴＶセット  ８４０に伝送される。ＴＶセット  ８４０に伝送されたデータは、制御部８４６の制御によって画質改善部８４４でノイズの除去及びフォーマットの変換処理はバイパスして、コントラスト改善処理のみを行った後、以後、映像出力部８４２に伝送される。
【００７６】
図８に示すＴＶセット、例えば、デジタルＴＶのような装置では、多様な画質改善機能を行ったが、ＤＶＤＰ及びセットトップボックスのように、ＴＶセットに連結されて映像を入力する装置では、画質改善が主要目的ではないため、画質改善機能がなくても、または、低い性能の画質改善機能を行う画質改善部が内蔵された。
【００７７】
また、本実施形態では、ＤＶＤＰ及びＴＶセットの画質改善部を考慮したが、画質改善部の代りに音響処理部にも同じ方式のデータ処理方法が適用されうる。
【００７８】
しかし、技術の発展と消費者の要求に伴って、それらのＤＶＤＰのような映像入力装置でも高性能を有する画質改善部が追加されてきた。例えば、ＴＶセットと映像を入力するＤＶＤＰとに、同じメーカーにより製造された同じ製造バージョンの画質改善部、または同じメーカーにより製造されたが、製造バージョンの異なる画質改善部が内蔵されうる。この場合、従来には、同じ画質改善処理作業が、前記で例を挙げたように、二重で行われて、画質が歪曲される等の問題点が発生したが、本発明を適用することにより、画質改善処理過程が重なることを未然に防止でき、また映像機器間の画質改善処理過程を組合わせて、最適の画質改善処理を行うことを可能にする効果がある。
【００７９】
一方、前記のデータ処理方法は、コンピュータプログラムで作成可能である。前記プログラムを構成するコード及びコードセグメントは、当業界のコンピュータプログラマーによって容易に推論されうる。また、前記プログラムは、コンピュータが読み取り可能な情報記録媒体に保存され、コンピュータによって読み取られて実行されることにより、データ処理管理方法を具現する。前記情報記録媒体は、磁気記録媒体、光記録媒体、及びキャリアウェーブ媒体を含む。
【００８０】
以上、本発明についてその好ましい実施形態を中心に説明した。当業者は、本発明が本発明の本質的な特性から逸脱しない範囲で変形された形態で具現されうるということが理解できるであろう。したがって、開示された実施形態は、限定的な観点ではなく、説明的な観点で考慮されねばならない。本発明の範囲は、前記の説明ではなく、特許請求の範囲に記載されており、それと同等な範囲内にあるあらゆる差異点は、本発明に含まれたものと解釈されねばならない。
【産業上の利用可能性】
【００８１】
本発明は、映像機器に関連した技術分野に好適に適用され得る。
【図面の簡単な説明】
【００８２】
【図１】従来の映像機器間の映像データの画質改善処理方法を説明するための図である。
【図２】本発明の一実施形態による複数のデータ処理装置間のデータ処理方法を説明するためのブロック図である。
【図３】本発明の一実施形態によるルックアップテーブルを示す図である。
【図４Ａ】本発明の一実施形態によるルックアップテーブルに使用されるデータ構成の例を示す図である。
【図４Ｂ】本発明の一実施形態によるルックアップテーブルに使用されるデータ構成の例を示す図である。
【図５】本発明の一実施形態に使用されるモードテーブル、及びモードテーブルの適用例を説明するための図である。
【図６】本発明の一実施形態によるマスタ装置でのデータ処理方法を説明するためのフローチャートである。
【図７】本発明の一実施形態によるスレーブ装置でのデータ処理方法を説明するためのフローチャートである。
【図８】本発明の一実施形態によるデータ処理方法を説明するためのブロック図である。
【符号の説明】
【００８３】
２１０、２２０、２３０・・・２９０      データ処理装置
２１２、２２２、２３２・・・２９２      データ処理部
２１４、２２４、２３４・・・２９４      制御部
２１６、２２６、２３６・・・２９６      ルックアップテーブル
２５０、２５２      インターフェース
【図１】
2006217571.tif 000004
【図２】
2006217571.tif 000005
【図３】
2006217571.tif 000006
【図４Ａ】
2006217571.tif 000007
【図４Ｂ】
2006217571.tif 000008
【図５】
2006217571.tif 000009
【図６】
2006217571.tif 000010
【図７】
2006217571.tif 000011
【図８】
2006217571.tif 000012